(57)【要約】【課題】  搬送異常（誤搬送、ジャム除去操作にて収納庫入り口の紙幣が順番に抜取られなかった場合等）により搬送順序が換わってしまった場合収納庫の枚数が確定できない。【解決手段】  利用者から紙幣の投入を受け入れる入金口と、前記紙幣に付された識別番号を取得する識別部と、前記紙幣を保管する収納庫と、前記入金口と前記識別部と前記収納庫とを接続し、前記紙幣を搬送する搬送路と、前記収納庫に収められた紙幣の順番と前記識別番号とを対応付けて記憶する記憶部と、それらを制御する制御部とを備え、前記記憶部は搬送異常の種別と前記種別に対応し前記収納庫から繰り出し確認する紙幣の確認枚数とを記憶し、搬送異常が発生した場合、前記制御部は前記記憶部を参照し、前記搬送異常に応じた前記確認枚数の紙幣を前記収納庫から繰り出すことを特徴とする紙幣処理装置。【選択図】  図１
2014153899.tif 000002
【特許請求の範囲】
【請求項１】
利用者から紙幣の投入を受け入れる入金口と、
前記紙幣に付された識別番号を取得する識別部と、
前記紙幣を保管する収納庫と、
前記入金口と前記識別部と前記収納庫とを接続し、前記紙幣を搬送する搬送路と、
前記収納庫に収められた紙幣の順番と前記識別番号とを対応付けて記憶する記憶部と、
それらを制御する制御部とを備え、
前記記憶部は搬送異常の種別と前記種別に対応し前記収納庫から繰り出す紙幣の確認枚数とを記憶し、
搬送異常が発生した場合、前記制御部は前記記憶部を参照し、前記搬送異常に応じた前記確認枚数分の紙幣を前記収納庫から繰り出し、繰り出した紙幣を前記識別部に識別させ、前記識別部での識別結果と、前記記憶部に記憶されている紙幣の順番と前記識別番号とを比較することを特徴とする紙幣処理装置。
【請求項２】
請求項１に記載の紙幣処理装置であって、
前記収納庫は、入金取引の際に、利用者から投入された紙幣と前記収納庫に予め収納されている紙幣とを収納することを特徴とする紙幣処理装置。
【請求項３】
請求項１に記載の紙幣処理装置であって、
前記収納庫は、入金取引の際に、入金口から搬送された紙幣と当該入金取引の前に前記収納庫に収納されている紙幣とを収納することを特徴とする紙幣処理装置。
【請求項４】
請求項１から請求項３のいずれか１つに記載の紙幣処理装置であって、
前記確認枚数は障害が発生した際の利用者の取引種別により決定されることを特徴とする紙幣処理装置。
【請求項５】
請求項１から請求項４のいずれか１つに記載の紙幣処理装置であって、
前記確認枚数は、前記搬送異常が発生した際の前記識別部により識別された紙幣の枚数に応じて決定されることを特徴とする紙幣処理装置。
【請求項６】
請求項１から請求項５のいずれか１つに記載の紙幣処理装置であって、
前記搬送路および前記収納庫は紙幣を検知するセンサを備え、
前記制御部は前記センサの出力結果により搬送異常の種別を特定することを特徴とする紙幣処理装置。
【請求項７】
請求項６に記載の紙幣処理装置であって、
搬送異常が紙幣詰まりである場合、前記制御部は前記センサにより前記搬送路および前記収納庫に滞留している紙幣の有無を確認し、紙幣が滞留していない場合、前記記憶部に記憶された確認枚数分の紙幣を前記収納庫より繰り出し、前記収納庫より繰り出した紙幣を前記識別部により識別番号を取得し、前記記憶部に記憶された紙幣の識別番号と照合し、前記収納庫より繰り出した紙幣が予め装置内に保管されていた紙幣か否かを判別することを特徴とする紙幣処理装置。
【請求項８】
請求項１から請求項７のいずれか１つに記載の紙幣処理装置であって、
搬送異常が紙幣が搬送先の前記収納庫に収納されない誤搬送である場合、前記制御部は誤搬送された紙幣が収納された収納庫および正しい搬送先である収納庫からそれぞれ前記確認枚数分の紙幣を繰り出し、搬送異常が発生した際の装置内の紙幣を確認することを特徴とする紙幣処理装置。
【請求項９】
請求項１から請求項８のいずれか１つに記載の紙幣処理装置と、
前記紙幣処理装置の前記制御部と通信し、前記制御部との間で制御信号を送受信する上位制御部と、
前記上位制御部により制御され前記利用者へのガイダンス表示をする表示部と、
前記利用者からの入力を受け付ける入力部と、を備えることを特徴とする現金取扱装置。
【請求項１０】
請求項９に記載の現金取扱装置であって、
前記入力部は前記搬送異常の種別または前記確認枚数を入力を受け付けるを特徴とする現金取扱装置。
【請求項１１】
請求項９に記載の現金取扱装置であって、
前記表示部は前記搬送異常の発生を示す案内を表示し、
前記入力部は前記確認枚数または前記搬送異常の対応により当該装置から取り出した紙幣の枚数を入力することを特徴とする現金取扱装置。
【発明の詳細な説明】
【技術分野】
【０００１】
本発明は、紙幣処理装置およびそれを備えた現金取扱装置に関する。
【背景技術】
【０００２】
紙幣には紙幣を識別するための番号（以下、記番号とする）が印刷されている。この記番号を利用した技術分野の背景技術として、特開平８−２４９５２４号公報（特許文献１）がある。この特許公報には、「紙幣取引装置内のリサイクルボックスおよびリジェクトボックス毎に紙幣の枚数と紙幣番号と入出金した人の口座番号を管理することができ、ミスフィードした場合でも、ミスフィードした紙幣の枚数と紙幣番号を特定することができるようにする。」と記載されている。
【先行技術文献】
【特許文献】
【０００３】
【特許文献１】特開平８−２４９５２４号公報
【発明の概要】
【発明が解決しようとする課題】
【０００４】
紙幣搬送時に搬送異常（ジャム、搬送先異常、収納庫への収納異常等）が発生する場合がある。従来の紙幣処理装置では搬送異常を復旧するため搬送路等に滞留している紙幣を取出すが、取出した枚数の確定ができないため装置内の在高が確定出来ない事象が発生する。前記従来例によれば、収納庫からの出金時にミスフィードが発生した際、次に正常にフィードできることでミスフィードの枚数を確定し機内在高の確定を行うが、搬送異常復旧処理時の滞留紙幣の取出し方や搬送先異常が発生し搬送順序が換わってしまった場合枚数が確定できない状態となる。本発明では、搬送異常が発生した場合でも機内在高を確定する紙幣処理装置およびそれを備えた現金取扱装置の提供を目的とする。
【課題を解決するための手段】
【０００５】
上記課題を解決するため、本発明は様々な解決手段があるがその一例を挙げるならば、
利用者から紙幣の投入を受け入れる入金口と、前記紙幣に付された識別番号を取得する識別部と、前記紙幣を保管する収納庫と、前記入金口と前記識別部と前記収納庫とを接続し、前記紙幣を搬送する搬送路と、前記収納庫に収められた紙幣の順番と前記識別番号とを対応付けて記憶する記憶部と、それらを制御する制御部とを備え、前記記憶部は搬送異常の種別と前記種別に対応し前記収納庫から繰出す紙幣の確認枚数とを記憶し、搬送異常が発生した場合、前記制御部は前記記憶部を参照し、前記搬送異常に応じた前記確認枚数の紙幣を前記収納庫から繰り出す紙幣処理装置がある。
【発明の効果】
【０００６】
本発明によれば搬送異常が発生した場合においても、収納庫内の紙幣枚数を厳格に管理することが可能となる。これにより例えば、紙幣処理装置内の在高を確定することができる。上記した以外の課題、構成及び効果については以下の実施形態の説明により明らかにされる。
【図面の簡単な説明】
【０００７】
【図１】紙幣処理装置の構成例を示す図である。
【図２】紙幣処理装置を内蔵した現金取扱装置の外観図である。
【図３】紙幣取引装置及び現金取扱装置のブロック図である。
【図４】記憶部の内部構造例を示す図である。
【図５】紙幣収納庫Ａの保存領域の内容例を示す図である。
【図６】入金処理を示すフローチャートである。
【図７】出金処理を示すフローチャートである。
【図８】搬送異常復旧処理を示すフローチャートである。
【図９】搬送異常復旧処理（搬送ジャム）を示すフローチャートである。
【図１０】搬送異常復旧処理（誤搬送）を示すフローチャートである。
【図１１】エラーコード別確認枚数テーブルを示す図である。
【図１２】搬送異常復旧処理の際に表示される画面の例である。
【発明を実施するための形態】
【０００８】
以下、実施例を図面を用いて説明する。
【実施例１】
【０００９】
図１〜図３を用いて本実施例で説明する紙幣処理装置の説明を行う。図１は、本実施例の紙幣処理装置１０の構成例である。紙幣処理装置１０は、入出金口シャッタ機構１０１、入出金口１０２、入金リジェクト口１０３、入出金口-識別部間搬送路１０４、識別部１０５、識別部-紙幣収納庫間搬送路１０６、入金リジェクト搬送路１０７、出金リジェクト搬送路１０８、紙幣収納庫Ａ搬送路１０９、紙幣収納庫Ｂ搬送路１１０、紙幣収納庫Ｃ搬送路１１１、紙幣収納庫Ｄ搬送路１１２、紙幣収納庫Ｅ搬送路１１３、紙幣収納庫Ａ１５１、紙幣収納庫Ｂ１５２、紙幣収納庫Ｃ１５３、紙幣収納庫Ｄ１５４、紙幣収納庫Ｅ１５５、紙幣処理装置１０の動作を制御する制御部１２１、紙幣処理装置の情報を保持する記憶部１２２とを備えている。
【００１０】
紙幣処理装置１０の各構成について詳細に説明する。入出金口シャッタ機構１０１は入出金口１０２の上部にあり、利用者から紙幣を入出金口１０２に受け入れる、または利用者へ入出金口１０２から紙幣を受け取らせる場合などにシャッタを開放し、それ以外の場合は入出金口１０２にアクセスできないようにシャッタを閉じる動作を行う。入出金口１０２は利用者からの紙幣の受け入れまたは利用者への紙幣の受け渡しを行う。入金リジェクト口１０３は、識別部１０５で正しい紙幣と識別されなかった紙幣を返却する。識別部１０５は搬送されてきた紙幣を、紙幣処理装置１０内に取り込んでよい紙幣であるかまたは搬送された紙幣が偽券かどうかを識別する。また識別部は紙幣の識別の際に、紙幣の記番号についても読み取る。紙幣収納庫Ａ１５１〜紙幣収納庫Ｅ１５５は各金種の紙幣を収納または排出する他、装填回収動作にも用いられる。
【００１１】
入出金口-識別部間搬送路１０４は入出金口１０２から識別部１０５を接続し紙幣を搬送する紙幣搬送路であり、識別部-紙幣収納庫間搬送路１０６は識別部１０５から各収納庫近傍までを接続する紙幣搬送路である。識別部-紙幣収納庫間搬送路１０６から各紙幣収納庫までは、それぞれ紙幣収納庫Ａ搬送路１０９、紙幣収納庫Ｂ搬送路１１０、紙幣収納庫Ｃ搬送路１１１、紙幣収納庫Ｄ搬送路１１２、紙幣収納庫Ｅ搬送路１１３により接続される。入金リジェクト搬送路１０７は入金リジェクト口１０３まで紙幣を搬送する搬送路であり、図示しない識別部-紙幣収納庫間搬送路１０６上にある切り替えポイントに接続し、入金リジェクトが発生した場合に紙幣をする。出金リジェクト搬送路１０８は、識別部１０５から識別部-紙幣収納庫間搬送路１０６上にある図示しない切り替えポイントに接続し、出金リジェクトが発生した場合に紙幣を搬送する搬送路である。
【００１２】
なお本実施例では、紙幣収納庫Ａ１５１を千円用、紙幣収納庫Ｂ１５２を五千円用、紙幣収納庫Ｃ１５３を万円用、紙幣収納庫Ｄ１５４を２千円兼オーバーフロー用とする。また、紙幣収納庫Ｅ１５５を出金リジェクト用とする。また装填回収を行う際には、出金リジェクト用のカセットを入れ替えて実施する事ができるが詳細は省略する。入金リジェクト口１０３と出金リジェクト用の紙幣収納庫Ｅ１５５とを分けて構成することで、装置外から投入された紙幣（利用者紙幣）と予め装置内にある紙幣（機内紙幣）とを分離して管理することができる。分離させることで、管理権限が異なる紙幣を分けて運用する事ができる。
【００１３】
また、紙幣処理装置１０は上位装置である現金取扱装置１０００が有している上位制御部１６１に制御部１２１と接続するインターフェース１２３から各種の制御信号を送受信する通信網１６３を経由して接続している。上位制御部１６１には、利用者からの入力操作を受け付ける操作入力部１６２が接続される。
【００１４】
図２は本実施例で説明する紙幣処理装置を搭載した現金取扱装置１０００の外観図である。利用者は操作入力部１６２に表示されたガイダンスに従い画面操作を行い、入出金口シャッタ機構１０１が開放された入出金口１０２に紙幣を入金する。また入金取引の際に識別部１０５により識別不能とされた紙幣は入金リジェクト口１０３に搬送され、利用者は搬送されたリジェクト紙幣を受け取る。なお実施例では、操作入力部１６２はタッチパネルを採用しているが表示装置及び入力装置がそれぞれ独立しているものであってもよい。また、図示をしてはいないが現金取扱装置１０００には利用者情報を取得するために非接触ＩＣリーダライタを搭載してもよい。
【００１５】
図３は紙幣処理装置１０の機能ブロック図である。図３に示すように、紙幣処理装置１０の制御部１２１は各部を制御し、インターフェース１２３及び通信網１６３を経由して、上位制御部と通信を行っている。なお、図１などには図示はしていないが、紙幣処理装置１０は各搬送路及び紙幣収納庫にそれぞれ紙幣検知センサ（１０４ａ〜１１３ａ）を供えている。この紙幣検知センサを用いて紙幣の通過検知や通過した紙幣のカウント、搬送路上で紙幣がジャムした場合にジャムをした紙幣がある搬送路を特定などを行うことが可能である。また、各紙幣検知センサは検知結果を制御部１２１に送信している。
【００１６】
図４は、記憶部１２２にて記憶する情報を示す例である。記憶部１２２には記番号保存領域２００が備えられている。記番号保存領域２００の中には、収納庫別の紙幣の記番号と収納順序を記憶する保存領域として紙幣収納庫Ａ保存領域２０１、紙幣収納庫Ｂ保存領域２０２、紙幣収納庫Ｃ保存領域２０３、紙幣収納庫Ｄ保存領域２０４、紙幣収納庫Ｅ保存領域２０５が備えられている。さらに、搬送中紙幣の記番号と搬送順序の情報を保持する搬送中情報保存領域２０６、識別部１０５により出金リジェクトと判断された紙幣の記番号を保持する出金リジェクト未登録情報保存領域２１０が備えられ、出金リジェクト未登録情報保存領域２１０の中には、収納庫別に紙幣収納庫Ａ出金リジェクト未登録情報２１１、紙幣収納庫Ｂ出金リジェクト未登録情報２１２、紙幣収納庫Ｃ出金リジェクト未登録情報２１３、紙幣収納庫Ｄ出金リジェクト未登録情報２１４、紙幣収納庫Ｅ出金リジェクト未登録情報２１５を備えている。
【００１７】
各紙幣収納庫保存領域が記憶している内容を図５を用いて説明する。紙幣収納庫Ａ保存領域２０１は紙幣の収納順序とその収納された紙幣の記番号を記憶する。図５は紙幣収納庫Ａ保存領域２０１を示しているが、その他の保存領域も同様の内容を記憶する構成である。なお、図示しないが搬送中情報保存領域２０６については識別した紙幣の金種についても記憶する。
【００１８】
次に本実施例の紙幣処理装置の入金処理について説明する。図６は、紙幣処置装置１０の入金処理を示すフローチャートである。
上位制御部１６１より制御部１２１へ入金処理要求されると、入出金口シャッタ機構１０１が開き、利用者は入出金口１０１へ紙幣を投入する。投入後入出金口シャッタ機構１０１を閉じる（ステップＳ３０１）。投入された紙幣は、入出金口１０１から１枚ずつ繰出される（ステップ３０２）。繰出された紙幣は、入出金口-識別部間搬送路１０４を通り、識別部１０５にて紙幣識別および記番号読み取りを実施する。（ステップＳ３０３）。
【００１９】
正常な紙幣と識別された場合（ステップＳ３０４：ＹＥＳ）は、識別部-紙幣収納庫間搬送路１０６を通り、識別した金種に応じて紙幣収納庫Ａ１５１、紙幣収納庫Ｂ１５２、紙幣収納庫Ｃ１５３、紙幣収納庫Ｄ１５４のいずれかへ搬送され、記憶部１２２内の対応する保存領域（紙幣収納庫Ａ保存領域２０１、紙幣収納庫Ｂ保存領域２０２、紙幣収納庫Ｃ保存領域２０３、紙幣収納庫Ｄ保存領域２０４）に記録する（ステップＳ３０５）。例えば、搬送した紙幣の金種が千円の場合、紙幣は紙幣収納庫Ａ１５１に搬送され、紙幣収納庫Ａ保存領域２０１に記番号を記録する。また、記番号は紙幣収納順に対応付けて記録される。正常な紙幣と識別されなかった場合（ステップＳ３０４：ＮＯ）は、識別部-紙幣収納庫間搬送路１０６、入金リジェクト搬送路１０７を通り入金リジェクト口１０３へ搬送される（ステップＳ３０６）。
【００２０】
紙幣の搬送は入出金口へ投入された全ての紙幣が繰出されるまで搬送を続ける（ステップＳ３０７：ＮＯ）。入出金口へ投入された全ての紙幣が繰出された後（ステップＳ３０７：ＹＥＳ）、入金確定処理操作待ちとなる。入金確定操作待ちでは、利用者が操作部１６２より入金確定またはキャンセルの操作を行う（ステップＳ３０８）。入金確定が操作された場合（ステップＳ３０９：ＹＥＳ）は入金処理を終了する。
【００２１】
入金がキャンセルされた場合（ステップＳ３０９：ＮＯ）は、紙幣収納庫に収納した紙幣を識別部-紙幣収納庫間搬送路１０６を通り、識別部１０５にて記番号読取りを実施する。その際、読取った記番号を記憶部１２２内の紙幣収納庫Ａ保存領域２０１、紙幣収納庫Ｂ保存領域２０２、紙幣収納庫Ｃ保存領域２０３、紙幣収納庫Ｄ保存領域２０４の内繰出しを行った紙幣収納庫の保存領域から削除する。例えば、繰出した紙幣の金種が万円の場合、紙幣は紙幣収納庫Ｃ１５３から繰出され、識別部１０５にて記番号読取り後、紙幣収納庫保存領域Ｃ２０３から当該の記番号を削除する。
【００２２】
その後入出金口-識別部間搬送路１０４を通り、紙幣投入口へ搬送される（ステップＳ３１０）。入出金口シャッタ機構１０１を開き、利用者が紙幣を取出す。取出し後、入出金シャッタ機構１０１を閉じる（ステップＳ３１１）。
【００２３】
次に本実施例の紙幣処理装置の出金処理について説明する。図７は、紙幣処理装置１０の出金処理を示すフローチャートである。
まず、上位制御部１６１から送信された出金枚数指示を制御部が受信する。（ステップＳ４０１）。制御部１２１は、該当紙幣収納庫より紙幣の繰出しを行う（ステップＳ４０２）。繰出された紙幣は、識別部-紙幣収納庫間搬送路１０６を通り、識別部１０５にて記番号読取りを実施する（ステップＳ４０３）。正常な紙幣と識別されなかった場合（ステップＳ４０４：ＮＯ）、出金リジェクト搬送路１０８を通り紙幣収納庫Ｅ１５５へ搬送され（ステップＳ４０５）、出金リジェクト未登録情報２１０の該当収納庫別出金リジェクト未登録情報に未登録有り（出金リジェクト発生）をセットする。
【００２４】
正常な紙幣と識別された場合（ステップＳ４０４：ＹＥＳ）は、入出金口-識別部間搬送路１０４を通り、入出金口１０２へ搬送される（ステップＳ４０７）。読取った記番号を記憶部１２２内の搬送中情報保存領域２０６に記録する（ステップ４０８）。入出金口１０２へ搬送した紙幣を繰出したのと同一紙幣収納庫に対応する出金リジェクト未登録情報２１０の該当収納庫別出金リジェクト未登録情報が未登録有りとなっている場合（ステップ４０９：ＹＥＳ）、記番号保存領域２００内の該当紙幣収納庫保存領域から、搬送中情報保存領域２０６の記番号前までの記番号を記憶部１２２の紙幣収納庫Ｅ保存領域２０５へ移動する。出金は、最後に収納された紙幣から行われるため、記番号のサーチは最後に記録された記番号から順に行う（ステップ４１０）。その後、搬送中情報保存領域２０６に保存した記番号を記番号保存領域２００内の該当紙幣収納庫保存領域から削除する（ステップＳ４１１）。
【００２５】
搬送した紙幣を繰出した同一紙幣収納庫から出金リジェクトが発生していない、または出金リジェクト未登録情報２１０の該当収納庫別出金リジェクト未登録情報に未登録が無い場合（ステップ４０９：ＮＯ）、搬送中情報保存領域２０６に保存した記番号を記番号保存領域２００内の該当紙幣収納庫保存領域から削除する（ステップＳ４１１）。
【００２６】
指示された出金枚数全てが紙幣入出金口へ搬送された場合（ステップＳ４１２：ＹＥＳ）、入出金口シャッタ機構１０１を開き利用者が出金紙幣を取出し、取出し後入出金口シャッタ機構１０１を閉じる（ステップＳ４１３）。指示されている出金枚数が全て出金されていない場合は紙幣収納庫からの繰出しを継続する（ステップＳ４１２：ＮＯ）。紙幣収納庫からの繰出しの際、繰出す紙幣収納庫が空となった場合（ステップＳ４１４：ＹＥＳ）、出金リジェクト未登録情報２１０の該当収納庫別出金リジェクト未登録情報に未登録有りの場合（ステップ４１５：ＹＥＳ）、記番号保存領域２００内の空となった紙幣収納庫保存領域から紙幣収納庫Ｅ保存領域２０５へ記番号を移動する。
【００２７】
次に、入金、出金動作中に搬送異常が発生した場合の復旧動作について図８〜図１１を用いて説明する。最初に搬送異常復旧の全体動作について図８を用いて説明する。搬送異常を検知し、上位制御部１６１から搬送異常復旧処理指示を受信した制御部１２１は、搬送路に設けられたセンサの出力結果を確認する（ステップＳ５０１）。次に図１１に示すエラーコードテーブル８０１とステップＳ５０１にて確認したセンサ出力結果とを比較し、搬送異常の種別を特定する（ステップＳ５０２）。
【００２８】
ここでエラーコードテーブル８０１について説明する。図１１はエラーコードテーブル８０１を示している。エラーコードテーブル８０１は取引種別、障害種類、エラコード、確認枚数から構成されている。取引種別は、搬送障害が発生した際にどの取引が行われていたかを表し、障害種類はその搬送障害の種別を示す。本実施例では、「誤搬送（別収納庫）」、「誤搬送（未収納）」、「搬送ジャム（収納庫近傍）」、「搬送ジャム（搬送路上）」の４つから構成されている。なお、この４つに限定されるものではなく別の分類や別種の搬送障害であっても良い。また、入金取引の際に搬送障害が発生した場合の方が出金取引の際に搬送障害が発生した場合より確認枚数が多くなっているが入金取引時には利用者の紙幣と装置内紙幣とが収納庫内で混在した状態になるため出金取引時よりも厳密に管理する必要があるためである。
【００２９】
確認枚数は紙幣収納庫から紙幣を繰出し、識別部により繰出した紙幣の記番号を確認することで、搬送障害が解消したあとに紙幣収納庫に収納された紙幣を確認する枚数である。紙幣収納庫から確認枚数分の紙幣を搬送することで、搬送障害時に紙幣がどこに搬送されたを、あるいはどの紙幣が搬送ジャムになったかを特定することができる。確認枚数はエラーコードテーブル８０１に示すとおり、障害種類により決定される。紙幣処理装置１０にて発生する搬送異常は、搬送路でのジャム、紙幣収納庫近傍でのジャム、搬送先異常等、発生場所や発生内容により様々な状態があるため、各エラーコード毎に確認実施枚数を決定することで発生事象毎に無駄な紙幣繰出しを抑止することが可能となる。なお、実施例では、収納庫近傍でジャムが発生した際に他の搬送異常よりも確認紙幣が多くなっているが、収納庫近傍での障害対応により紙幣の収納順序が変化する可能性があるためである。また処理時間についても確認に必要な最低限の時間で済むことになる。
【００３０】
例えば、本来搬送すべき紙幣収納庫に搬送できなかった「誤搬送（別収納庫）」の場合に紙幣繰出し対象となる紙幣収納庫は誤搬送した紙幣収納庫と、本来搬送すべき紙幣収納庫とから確認枚数分の紙幣を繰出し、識別部１０５によって識別して搬送状況を確認する。言い換えると、誤搬送した紙幣収納庫から確認枚数である３枚の紙幣を繰出し、本来搬送すべき紙幣収納庫から２枚繰出して、識別部１０５にて識別する。その識別結果と記憶部１２２に記憶されている記番号保存領域２００と搬送中情報保存領域２０６とを比較することで、紙幣処理装置１０内の紙幣収納庫の中身や搬送状況を確定することができる。
【００３１】
なお、確認枚数はエラーコードテーブル８０１に示すように予め定められてもよいし、障害発生時の紙幣の搬送状況によって設定されてもよい。例えば、識別部１０５で識別した枚数が３枚であるときに誤配送が発生した場合は、制御部１２１がエラーコードテーブル８０１で示す枚数よりも少ない枚数を確認枚数として設定するなど、搬送状況に依存して確認枚数を設定してもよい。また、全ての搬送異常について一律に確認枚数を決定してもよい。上記する誤搬送以外の場合は、エラーコードテーブル８０１に設定された確認枚数を搬送先である紙幣収納庫より繰出して、紙幣収納庫と搬送状況の確認を行う。
【００３２】
搬送障害の種類を特定した後、各搬送障害に対応したエラー処理を実行する（ステップＳ５０３）。各搬送障害に対応した処理について、詳細は後述する。エラー処理が終了すると、上位制御部へエラー処理完了を通信し（ステップＳ５０４）、上位装置からの復旧確認指令を受信する（ステップＳ５０５）ことで復旧処理を完了する。
【００３３】
次に各搬送障害の内容に応じた搬送異常復旧処理について説明する。図９は、搬送異常（搬送路上での紙幣ジャム）が発生した場合の処理フローである。
入金処理中に搬送異常が発生した場合、紙幣処理装置１０は搬送動作を停止し障害復旧待ちとなる。復旧操作は最初に、搬送路に滞留している紙幣を取出す。取出しは人手により実施する。取出し後、操作入力部１６２にて紙幣を取出した者により取出し完了を選択すると上位制御部１６１から取出し完了を示す信号が制御部１２１へ送信される（ステップＳ６０１）。取出し完了受信後、制御部１２１は搬送路内に滞留（取り残し）紙幣が無いか搬送路内滞留確認処理を各紙幣検知センサを用いて実施する（ステップＳ６０２）。確認後、再度滞留紙幣が確認された場合は取出操作へ戻る（ステップ６０３：ＮＯ）。
【００３４】
滞留紙幣無し確認後（ステップ６０３：ＹＥＳ）、エラーコードテーブル８０１より発生した搬送異常に対応した確認に必要な枚数を取得する（ステップ６０４）。エラーコードテーブル８０１にて取得した確認枚数分の紙幣を入金紙幣の搬送先となっていた紙幣収納庫から繰出しを行い、入出金口へ搬送する（ステップ６０５）。繰出した紙幣は、識別部１０５を通過する際に記番号を読取り、記憶部１２２の搬送中情報保存領域２０６に記録する（ステップ６０６）。
【００３５】
次に、搬送中情報保存領域２０６の情報と記番号保存領域２００内の繰出しを行った紙幣収納庫保存領域の比較を行う。比較は、搬送中情報保存領域２０６内の記番号と繰出しを行った紙幣収納庫保存領域に最後に記録された記番号から順に一致チェックを行い搬送中情報保存領域２０６内の記番号と全て一致した場合比較処理を終了する。比較処理の結果、全て一致するまでの間、搬送中情報保存領域２０６の記番号と一致しなかった機番号については、紙幣処理装置１０から既に人手により取出されたものと判断し、収納庫保存領域から削除する（ステップ６０７）。比較終了後、入出金口へ搬送した紙幣を紙幣収納庫へ収納する（ステップ６０８）。本比較動作実施の際、比較を実施する紙幣収納庫が複数ある場合は、個々の紙幣収納庫ごとに紙幣収納庫からの繰出し（ステップ６０５）〜収納庫への収納（ステップ６０８）を実施してもよいし、比較が必要な紙幣収納庫全て一度に紙幣収納庫からの繰出し（ステップ６０５）〜収納庫への収納（ステップ６０８）を実施してもよい。
【００３６】
上記に示すように構成することで、入金処理中に紙幣ジャムによる障害が発生した場合であっても、利用者が入金した紙幣と装置内にある紙幣とを切り分ける事が可能となり、入金処理をキャンセルした場合であっても２種類の紙幣（管理者が異なる紙幣）が混在した状態で利用者に返却することは無くなる。また、例えば入金口から直接収納庫へ入金した際に搬送異常が発生した場合でも収納庫内の在高を確定することが可能となり、障害に対応した処理を行う事により全体の処理時間を短縮することが可能となる。
【００３７】
なお、入金取引の際には、紙幣ジャムが発生した場合に搬送中情報保存領域２０６を使用しているがジャムが発生していない場合であっても搬送中情報保存領域２０６に紙幣情報を記憶するようにしてもよい。その場合は、復旧処理中に記憶する搬送中情報と障害が発生する前に記憶される搬送情報とは搬送中情報保存領域２０６内の異なる領域に記憶され、紙幣収納庫保存領域と障害発生前の搬送中情報と障害発生後の搬送中情報の３つを用いることができる。
【００３８】
次に入金処理中に誤搬送が発生した場合の搬送異常復旧処理を図１０を用いて説明する。図１０は誤搬送発生の際の処理フローチャートである。
搬送路に備え付けられた各紙幣検知センサにより誤搬送が発生したことを検知した場合、一旦搬送が停止し、搬送路内に滞留している紙幣は全て入出金口１０２へと逆搬送させる（ステップＳ７０１）。入出金口１０２へと搬送させる際に、識別部１０５を通過するため、識別部１０５では通過する紙幣の記番号を取得し、搬送路上に滞留していた紙幣を特定し、搬送中情報保存領域２０６に記憶する(ステップＳ７０２)。次に搬送路上に紙幣が滞留していないかを搬送路の各紙幣検知センサを用いて確認する（ステップＳ７０３）。紙幣が滞留していた場合（ステップＳ７０４：Ｎｏ）、制御部１２１は搬送路を制御し、滞留している紙幣を入出金口１０２まで搬送する。
【００３９】
滞留している紙幣が無い場合（ステップＳ７０４：Ｙｅｓ）、制御部１２１は誤搬送が別の収納庫に誤って搬送され、収納されたために発生したものであるか、または、搬送路の切り替えエラーにより搬送先の収納庫に収納できなかったかを各紙幣検知センサの検知結果により判定する（ステップＳ７０５）。誤搬送により紙幣が別収納庫に収納された場合（ステップＳ７０５：Ｙｅｓ）、制御部１２１はエラーコードテーブル８０１を参照し、搬送先の収納庫から繰り出す紙幣枚数と誤って搬送された紙幣が収納された別の収納庫から繰り出す紙幣枚数を確認する（ステップＳ７０６）。繰出す枚数を確認した後、各収納庫からそれぞれ確認枚数分の紙幣を繰出し（ステップＳ７０７）、識別部１０５により繰出した紙幣の記番号を読取り、記憶部１２２の搬送中情報保存領域２０６に記録する（ステップＳ７０８）。
【００４０】
搬送中情報保存領域２０６の情報と記番号保存領域２００内の繰出しを行った各紙幣収納庫保存領域の比較を行う。比較は、搬送中情報保存領域２０６内の記番号と繰出しを行った各紙幣収納庫保存領域に最後に記録された記番号から順に一致チェックを行い搬送中情報保存領域２０６内の記番号と全て一致した場合比較処理を終了する。比較処理の結果、全て一致するまでの間、搬送中情報保存領域２０６の記番号と一致しなかった記番号については、誤搬送により収納順序が変わってしまったものと判断し、収納庫保存領域から削除する（ステップＳ７０９）。比較終了後、入出金口へ搬送した紙幣を紙幣収納庫へ収納する（ステップＳ７１０）。なお、本実施例の場合、配送先収納庫と誤配送先収納庫とで確認枚数が異なるように設定しているが、同じ枚数を確認するとしてもよい。
【００４１】
搬送路の切り替えエラーにより紙幣が未収納である場合（ステップＳ７０５：Ｎｏ）、エラーコードテーブル８０１より確認紙幣の枚数と繰り出す収納庫の確認を行う。その後、搬送先である収納庫から確認枚数分の紙幣を繰出し（ステップＳ７１１）、識別部１０５により繰出した紙幣の記番号を読取り、記憶部１２２の搬送中情報保存領域２０６に記録する（ステップＳ７１２）。別収納庫に搬送した場合と同様に、搬送中情報保存領域２０６と収納庫保存領域とを比較し、比較処理の結果、全て一致するまでの間、搬送中情報保存領域２０６の記番号と一致しなかった記番号については、誤搬送により収納順序が変わってしまったものと判断し、収納庫保存領域から削除する（ステップＳ７０９）。比較終了後、入出金口へ搬送した紙幣を紙幣収納庫へ収納する（ステップＳ７１０）。
【００４２】
また、出金処理中に搬送異常が発生した場合においても同様な処置となる。紙幣収納庫領域内の情報を確定させることが可能となり、機器内の在高を確定させることが可能となる。
【００４３】
本実施例の構成を有しているため搬送障害の１つである誤搬送が発生した場合であっても上記構成を本実施例は有しているため利用者の投入紙幣と装置に予め入っていた紙幣（管理者が異なる紙幣）とを切り分けることが可能である。また、例えば入金口から直接収納庫へ入金した際に搬送異常が発生した場合でも収納庫内の在高を確定することが可能となり、障害に対応した処理を行う事により全体の処理時間を短縮することが可能となる。
【００４４】
以上、本発明の実施例について図面を用いて説明したが、本発明は上記した実施例に限定されるものではなく、他の構成の追加・削除・置換をした様々な変形例が含まれていても良い。例えば、センサにより特定した搬送異常の内容からエラーコードを参照し、収納庫から繰り出す紙幣を確認する構成としたが、図１２に示すエラー発生を示す画面が操作入力部１６２に表示され、障害が発生した箇所を利用者に選択させ（斜線部が利用者が選択した障害発生箇所）、利用者から障害時に取り出した紙幣の入力を受け付けることにより確認枚数を決定してもよい。また、利用者に選択させるのではなく図１２の斜線部のようにエラー発生場所を表示し、障害時に取り出した枚数ではなく確認枚数を入力させてもよい。
【符号の説明】
【００４５】
１０    紙幣処理装置
１０１  入出金口シャッタ機構
１０２  入出金口
１０３  入金リジェクト口
１０４  入出金口-識別部間搬送路
１０５  識別部
１０６  識別部-紙幣収納庫間搬送路
１０７  入金リジェクト搬送路
１０８  出金リジェクト搬送路
１０９  紙幣収納庫Ａ搬送路
１１０  紙幣収納庫Ｂ搬送路
１１１  紙幣収納庫Ｃ搬送路
１１２  紙幣収納庫Ｄ搬送路
１１３  紙幣収納庫Ｅ搬送路
１２１  制御部
１２２  記憶部
１５１  紙幣収納庫Ａ
１５２  紙幣収納庫Ｂ
１５３  紙幣収納庫Ｃ
１５４  紙幣収納庫Ｄ
１５５  紙幣収納庫Ｅ
１６１  上位制御部
１６２  操作入力部
１６３  通信網
２００  記番号保存領域
２０１  紙幣収納庫Ａ保存領域
２０２  紙幣収納庫Ｂ保存領域
２０３  紙幣収納庫Ｃ保存領域
２０４  紙幣収納庫Ｄ保存領域
２０５  紙幣収納庫Ｅ保存領域
２０６  搬送中情報保存領域
２１０  出金リジェクト未登録情報保存領域
２１１  紙幣収納庫Ａ出金リジェクト未登録情報
２１２  紙幣収納庫Ｂ出金リジェクト未登録情報
２１３  紙幣収納庫Ｃ出金リジェクト未登録情報
２１４  紙幣収納庫Ｄ出金リジェクト未登録情報
２１５  紙幣収納庫Ｅ出金リジェクト未登録情報
８０１  エラーコードテーブル
１０００  現金取扱装置
【図１】
2014153899.tif 000003
【図２】
2014153899.tif 000004
【図３】
2014153899.tif 000005
【図４】
2014153899.tif 000006
【図５】
2014153899.tif 000007
【図６】
2014153899.tif 000008
【図７】
2014153899.tif 000009
【図８】
2014153899.tif 000010
【図９】
2014153899.tif 000011
【図１０】
2014153899.tif 000012
【図１１】
2014153899.tif 000013
【図１２】
2014153899.tif 000014